(57)【要約】【課題】読影依頼先医療施設において行なわれた画像データの読影結果を正確に把握する。【解決手段】遠隔読影支援システム１００は、読影依頼元医療施設の読影依頼用端末装置３から供給された画像データを読影する読影依頼先医療施設の読影用端末装置５と、前記読影依頼先医療施設において得られた前記画像データの読影結果を確認する確認医療施設の確認用端末装置４と、前記読影結果及びこの読影結果に対する前記読影用端末装置５及び前記確認用端末装置４の入力情報に基づいて検査レポートを作成する検査レポート作成部２を備えている。【選択図】  図１
2012170750.tif 000002
【特許請求の範囲】
【請求項１】
読影依頼元医療施設の読影依頼用端末装置から供給された画像データを読影する読影依頼先医療施設の読影用端末装置と、
前記読影依頼先医療施設において得られた前記画像データの読影結果を確認する確認医療施設の確認用端末装置と、
前記読影結果及びこの読影結果に対する前記読影用端末装置及び前記確認用端末装置の入力情報に基づいて検査レポートを作成する検査レポート作成手段とを
備えたことを特徴とする遠隔読影支援システム。
【請求項２】
前記検査レポート作成手段は、前記読影用端末装置から供給された前記画像データの読影結果を示す所見テキストに基づいて第１の検査レポートを作成し、前記確認用端末装置から供給された前記所見テキストに対する質問テキストあるいは第１のコメントテキストの少なくとも何れかを前記第１の検査レポートに追加して第２の検査レポートを作成し、前記読影用端末装置から供給された前記質問テキストに対する回答テキストあるいは前記第１のコメントテキストに対する第２のコメントテキストの少なくとも何れかを前記第２の検査レポートに追加して第３の検査レポートを作成することを特徴とする請求項１記載の遠隔読影支援システム。
【請求項３】
前記検査レポート作成手段は、前記質問テキストあるいは前記第１のコメントテキストにこれらの対象となった所見テキストを強調表示するための対象所見表示用アイコンを付加して前記第２の検査レポートを作成することを特徴とする請求項２記載の遠隔読影支援システム。
【請求項４】
前記検査レポート作成手段は、作成した前記第１の検査レポート及び第３の検査レポートを少なくとも前記確認用端末装置に対して供給し、前記第２の検査レポートを少なくとも前記読影用端末装置に対して供給することを特徴とする請求項２記載の遠隔読影支援システム。
【請求項５】
前記読影用端末装置において前記所見テキストの全てあるいはその一部が更新された場合、前記検査レポート作成手段は、前記第３の検査レポートに記載された更新前の所見テキストを更新後の所見テキストへ変更することにより第４の検査レポートを作成することを特徴とする請求項２又は請求項３に記載した遠隔読影支援システム。
【請求項６】
前記第４の検査レポートに示された前記対象所見表示用アイコンの中から更新前の所見テキストに対応した対象所見表示用アイコンが前記読影用端末装置あるいは前記確認用端末装置において選択された場合、前記検査レポート作成手段は、更新前の所見テキストが記載された前記第３の検査レポートを再度作成することを特徴とする請求項５記載の遠隔読影支援システム。
【請求項７】
前記読影用端末装置あるいは前記確認用端末装置は、選択した前記対象所見表示用アイコンに対応する前記所見テキストを異なる色調、線幅、大きさ、背景色の何れかによって強調表示することを特徴とする請求項３又は請求項６に記載した遠隔読影支援システム。
【請求項８】
前記読影依頼用端末装置、前記読影用端末装置及び前記確認用端末装置は、ネットワークを介して接続されていることを特徴とする請求項１記載の遠隔読影支援システム。
【請求項９】
前記読影依頼用端末装置から供給された画像データ、前記読影用端末装置から供給された所見テキスト、回答テキスト及び前記第２のコメントテキスト、前記確認用端末装置から供給された前記質問テキスト及び前記第１のコメントテキストを各種付帯情報と共に保存する保管手段を更に備えたことを特徴とする請求項２記載の遠隔読影支援システム。
【請求項１０】
読影依頼元医療施設から供給された画像データを読影する読影依頼先医療施設の読影用端末装置と、前記画像データの読影結果を確認する確認医療施設の確認用端末装置と、前記読影用端末装置及び前記確認用端末装置の入力情報に基づいて各種の検査レポートを作成する検査レポート作成手段とを備えた遠隔読影支援システムであって、
前記読影用端末装置は、
前記画像データに対する所見テキストと、前記確認用端末装置において入力された前記所見テキストの質問テキストに対する回答テキストあるいは第１のコメントテキストに対する第２のコメントテキストの少なくとも何れかを入力する入力手段と、
前記所見テキストと、前記質問テキストあるいは前記第１のコメントテキストの少なくとも何れかに基づいて前記検査レポート作成手段が作成した第２の検査レポートを表示する表示手段を有し、
前記確認用端末装置は、
前記読影用端末装置において入力された前記所見テキストに対して前記質問テキストあるいは前記第１のコメントテキストの少なくとも何れかを入力する入力手段と、
前記検査レポート作成手段が、前記所見テキストに基づいて作成した第１の検査レポートと、前記所見テキスト、前記質問テキスト及びこの質問テキストに対する回答テキストあるいは前記第１のコメントテキスト及びこの第１のコメントテキストに対する第２のコメントテキストに基づいて作成した第３の検査レポートを表示する表示手段を
有することを特徴とする遠隔読影支援システム。
【請求項１１】
ネットワーク等を介して接続された読影用端末装置及び確認用端末装置から供給されるテキスト情報に基づいて検査レポートを作成する検査レポート作成手段に対し、
前記読影用端末装置から供給された前記画像データの所見テキストに基づいて第１の検査レポートを作成する機能と、
前記確認用端末装置から供給された前記所見テキストに対する質問テキストあるいは第１のコメントテキストの少なくとも何れかを前記第１の検査レポートに追加して第２の検査レポートを作成する機能と、
前記読影用端末装置から供給された前記質問テキストに対する回答テキストあるいは前記第１のコメントテキストに対する第２のコメントテキストを前記第２の検査レポートに追加して第３の検査レポートを作成する機能を
実行させることを特徴とする制御プログラム。
【請求項１２】
前記読影用端末装置において前記所見テキストの全てあるいはその一部が更新された場合、前記第３の検査レポートに記載された更新前の所見テキストを更新後の所見テキストへ変更することにより第４の検査レポートを作成する機能を更に実行させることを特徴とする請求項１１記載の制御プログラム。
【発明の詳細な説明】
【技術分野】
【０００１】
本発明の実施形態は、読影依頼先施設の読影結果に対する質問やコメントを容易に行なうことが可能な遠隔読影支援システム及び制御プログラムに関する。
【背景技術】
【０００２】
医用画像診断は、コンピュータ技術の発展に伴って実用化されたＸ線ＣＴ装置やＭＲＩ装置等により急速な進歩を遂げ、今日の医療において必要不可欠なものとなっている。特に、近年のＸ線ＣＴ装置やＭＲＩ装置では、生体情報検出ユニットや演算処理ユニットの高速化及び高性能化に伴ってボリュームデータの収集やこのボリュームデータを用いた３次元画像データ及びＭＰＲ(Multi Planar Reconstruction)画像データの生成を短時間で行なうことが可能となった。このような医用画像診断装置の実用化は、悪性腫瘍等の早期発見を可能とし、治療方針や治療方法の決定に大きく貢献している。
【０００３】
高い性能を有した上述の医用画像診断装置は、特に、我が国をはじめとする医療先進国において広く普及しつつあるが、近年の医師不足の影響等で、これらの医用画像診断装置によって収集された各種の画像データを読影できる専門医を十分確保することができないという深刻な問題が発生している。このため、上述の医用画像診断装置によって収集された画像データを、ネットワーク等を介して接続された外部の読影依頼先医療施設に送付し、この読影依頼先医療施設に所属する読影担当医に対して画像データの読影を依頼する、所謂、遠隔医用画像読影法が行なわれつつある。
【０００４】
又、読影依頼先医療施設の読影担当医による前記画像データの読影結果を受信した読影依頼元医療施設の読影依頼担当医は、この読影結果に対する評価を上述の読影依頼先医療施設へ送信することにより読影担当医の読影技術を向上させることが可能な読影支援システムが提案されている。
【先行技術文献】
【特許文献】
【０００５】
【特許文献１】特開２００８−２５３４３７号公報
【発明の概要】
【発明が解決しようとする課題】
【０００６】
医用画像診断装置によって収集された画像データの読影を、海外を含む外部の読影依頼先医療施設に対して依頼する遠隔医用画像読影法では、読影依頼先医療施設から供給された読影結果（所見テキスト）に基づく検査レポートの質を常に高いレベルに維持することが重要となるが、読影依頼元医療施設に所属する読影依頼担当医の能力不足等により、読影依頼先医療施設から供給された所見テキストの内容が十分理解されない場合があり、このため、当該被検体に対して高い精度を有した診断を行なうことが困難になるという問題点を有していた。
【０００７】
本開示は、上述の問題点に鑑みてなされたものであり、その目的は、医用画像診断装置によって収集された画像データの読影を、ネットワーク等を介して接続された読影依頼先医療施設に対して依頼する際、前記読影依頼先医療施設と読影依頼元医療施設あるいはこれらの医療施設から読影結果の確認を委託された確認医療施設との間で送受信される検査レポートの前記画像データに対する読影結果（所見テキスト）に、前記所見テキストに対する質問テキスト及び前記質問テキストに対する回答テキスト等を順次付加することにより所見テキストの内容を正確に把握することが可能な遠隔読影支援システム及び制御プログラムを提供することにある。
【課題を解決するための手段】
【０００８】
上記課題を解決するために、本開示の遠隔読影支援システムは、読影依頼元医療施設の読影依頼用端末装置から供給された画像データを読影する読影依頼先医療施設の読影用端末装置と、前記読影依頼先医療施設において得られた前記画像データの読影結果を確認する確認医療施設の確認用端末装置と、前記読影結果及びこの読影結果に対する前記読影用端末装置及び前記確認用端末装置の入力情報に基づいて検査レポートを作成する検査レポート作成手段とを備えたことを特徴としている。
【図面の簡単な説明】
【０００９】
【図１】本実施形態における遠隔読影支援システムの全体構成を示すブロック図。
【図２】本実施形態の遠隔読影支援システムが備えるデータ登録部によって生成された所見データ及びコメントデータの具体例を示す図。
【図３】本実施形態の遠隔読影支援システムが備える検査レポート作成部によって作成された第１の検査レポート乃至第３の検査レポートの具体例を示す図。
【図４】本実施形態における第１の検査レポート乃至第３の検査レポートの作成手順を示すフローチャート。
【図５】本実施形態の変形例における遠隔読影支援システムの全体構成を示すブロック図。
【図６】本実施形態の変形例におけるデータ登録部によって生成された所見データ、更新データ及びコメントデータの具体例を示す図。
【図７】本実施形態の変形例における検査レポート作成部によって作成された第４の検査レポートの具体例を示す図。
【発明を実施するための形態】
【００１０】
以下、図面を参照して本開示の実施形態を説明する。
【００１１】
医用画像診断装置によって収集された画像データの読影に際し、本実施形態の遠隔読影支援システムが備える検査レポート作成部は、先ず、読影用端末装置の読影担当医によって入力された前記画像データに対する所見テキストに基づいて第１の検査レポートを作成する。次いで、所見テキストの確認を行なう確認用端末装置の確認担当医によって入力された第１の検査レポートの所見テキストに対する質問テキスト及び第１のコメントテキストを第１の検査レポートに追加して第２の検査レポートを作成し、更に、上述の読影担当医によって入力された第２の検査レポートの質問テキストに対する回答テキスト及び第１のコメントテキストに対する第２のコメントテキストを第２の検査レポートに追加して第３の検査レポートを作成する。そして、第３の検査レポートに示された質問テキスト及び第１のコメントテキストや回答テキスト及び第２のコメントテキストによる所見テキストの内容確認が確認担当医によって行なわれたならば、得られた第３の検査レポートを最終検査レポートとして読影依頼用端末装置の読影依頼担当医に対して供給する。
【００１２】
尚、以下に示す実施形態では、Ｘ線ＣＴ装置やＭＲＩ装置等の医用画像診断装置によって収集された当該被検体の画像データに対する読影を、ネットワーク等を介して接続された読影依頼先施設の読影担当医に対して依頼する場合について述べるが、生体信号計測装置によって計測された心電波形や脳波形、更には、血液等の検体に対する分析結果等を参照した読影を読影担当医に対して依頼する場合であっても構わない。
【００１３】
又、本実施形態の遠隔読影支援システムが備える検査レポート作成部は、所見テキストに基づく第１の検査レポートと、前記所見テキストに対する質問テキスト及び第１のコメントテキストが第１の検査レポートに追加された第２の検査レポートと、前記質問テキストに対する回答テキスト及び前記第１のコメントテキストに対する第２のコメントテキストが第２の検査レポートに追加された第３の検査レポートを順次作成し、第３の検査レポートを最終検査レポートとして読影依頼担当医に対して供給する場合について述べるが、質問テキスト及び第１のコメントテキストや回答テキスト及び第２のコメントテキストの入力を更に繰り返すことによって作成された検査レポートの何れかを最終検査レポートとして読影依頼担当医へ供給しても構わない。
【００１４】
（システムの構成）
本開示の実施形態における遠隔読影支援システムの構成と機能につき図１乃至図３を用いて説明する。尚、図１は、本実施形態における遠隔読影支援システムの全体構成を示すブロック図である。
【００１５】
遠隔読影支援システム１００は、図１に示すように、データ保管部１、検査レポート作成部２、読影依頼用端末装置３、確認用端末装置４及び読影用端末装置５を備え、これらのユニットはネットワーク６を介して互いに接続されている。
【００１６】
即ち、遠隔読影支援システム１００は、例えば、上述のネットワーク６を介して接続されるＸ線ＣＴ装置やＭＲＩ装置等の医用画像診断装置によって予め収集された画像データを保存し、更に、読影用端末装置５において入力された当該被検体の画像データに対する読影結果（以下では、所見テキストと呼ぶ）、確認用端末装置４において入力された前記所見テキストに対する質問テキストや第１のコメントテキスト、読影用端末装置５において入力された前記質問テキストに対する回答テキストや前記第１のコメントテキストに対する第２のコメントテキストを所見データ及びコメントデータとして保存するデータ保管部１と、上述の画像データ、所見データ及びコメントデータに基づいて各種の検査レポートを作成する検査レポート作成部２を備えている。
【００１７】
更に、遠隔読影支援システム１００は、読影依頼元医療施設に設けられ、読影依頼先医療施設が有する上述の読影用端末装置５に対し当該被検体から収集された画像データの読影（即ち、画像データの観察により異常部位の有無やグレード判定）を依頼する読影依頼用端末装置３と、確認医療施設に設けられ、読影用端末装置５において入力された所見テキストに基づいて検査レポート作成部２が作成した第１の検査レポートに対する質問テキストや第１のコメントテキストを入力する確認用端末装置４と、読影依頼先医療施設に設けられ、読影依頼用端末装置３から供給された読影依頼情報に基づいてデータ保管部１の画像データ記憶部１２から読み出した当該被検体の画像データに対する読影結果（所見テキスト）の入力や確認用端末装置４から供給された上述の質問テキスト及び第１のコメントテキスト等に基づいて検査レポート作成部２が作成した第２の検査レポートに対する回答テキストや第２のコメントテキストの入力を行なう読影用端末装置５を備えている。
【００１８】
尚、読影依頼用端末装置３は、読影依頼元医療施設の読影依頼担当医によって操作され、確認用端末装置４は、後述する読影担当医の読影結果に基づいて作成された検査レポート（第１の検査レポート）の内容確認を読影依頼元医療施設あるいは読影依頼先医療施設から委託された確認医療施設の医療従事者（以下では、確認担当医と呼ぶ。）によって操作される。又、読影用端末装置５は、上述の読影依頼用端末装置３から供給された読影依頼情報に基づいて当該被検体の画像データを読影する読影依頼先医療施設の読影担当医によって操作される。
【００１９】
この場合、上述の確認医療施設は、読影依頼先医療施設に含まれる場合が多いが、これに限定されるものではなく、例えば、読影依頼元医療施設の一部であってもよく、読影依頼元医療施設や読影依頼先医療施設と独立した他の医療施設であってもよい。同様にして、上述のデータ保管部１及び検査レポート作成部２は、読影依頼元医療施設あるいは読影依頼先医療施設に設けられていてもよいが他の医療施設に設けられていても構わない。
【００２０】
このような読影依頼システム１００が備える各ユニットの構成と機能について更に詳しく説明する。
【００２１】
データ保管部１は、図１に示すように、データ登録部１１、画像データ記憶部１２、所見データ記憶部１３及びコメントデータ記憶部１４を備え、図示しない医用画像診断装置において収集された画像データや読影用端末装置５にて入力された所見テキストに基づく所見データ、更には、確認用端末装置４にて入力された質問テキスト及び第１のコメントテキストや読影用端末装置５にて入力された回答テキスト及び第２のコメントテキストに基づくコメントデータを保存する機能を有している。
【００２２】
即ち、データ登録部１１は、別途設置された医用画像診断装置からネットワーク６を介して供給された当該被検体の画像データをその付帯情報と共に画像データ１２へ保存する。この場合の付帯情報として、被検体ＩＤ等の「被検体情報」や検査モダリティ名（医用画像診断装置名）、検査対象部位、検査年月日、検査担当医名等の「検査情報」が含まれている。
【００２３】
又、データ登録部１１は、読影依頼先医療施設の読影用端末装置５から供給された当該被検体の所見テキスト及びこの所見テキストに対応した画像データを受信し、これらの画像データに付加されていた「被検体情報」及び「検査情報」、上述の所見テキストを作成した読影担当医のＩＤ（「作成者ＩＤ」）、読影依頼元医療施設の読影依頼用端末装置３から供給された読影依頼情報に含まれている「読影依頼ＩＤ」、更には、新たに発生させた「検査レポートＩＤ」や「バージョン情報」等を上述の所見テキスト及び画像データに付加して所見データを生成する。そして、得られた所見データは、所見データ記憶部１３に保存される。
【００２４】
更に、データ登録部１１は、確認用端末装置４において入力された上述の所見テキストに対する質問テキスト及び第１のコメントテキストや読影用端末装置５において入力された前記質問テキストに対する回答テキスト及び前記第１のコメントテキストに対する第２のコメントテキストを受信する。
【００２５】
次いで、上述の所見データが有する「検査レポートＩＤ」及び「バージョン情報」、質問テキストや第１のコメントテキストの対象となった所見テキストの位置情報（以下では、「対象所見位置情報」と呼ぶ。）、質問テキスト及び第１のコメントテキストを入力した読影担当医のＩＤ（「作成者ＩＤ」）、新たに発生させた「コメントＩＤ」等を上述の質問テキスト及び第１のコメントテキストに付加して第１のコメントデータを生成し、「コメントＩＤ」に対応した「元コメントＩＤ」、回答テキスト及び第２のコメントテキストを入力した読影担当医のＩＤ（「作成者ＩＤ」）、新たに発生させた「コメントＩＤ」等を上述の回答テキスト及び第２のコメントテキストに付加して第２のコメントデータを生成する。そして得られた第１のコメントデータ及び第２のコメントデータは、コメントデータ記憶部１４に保存される。
【００２６】
次に、データ保管部１のデータ登録部１１において生成される所見データとコメントデータの具体例につき図２を用いて説明する。図２（ａ）は、読影担当医が読影用端末装置５において入力した所見テキストに基づいてデータ登録部１１が生成した所見データを示したものであり、この所見データは、読影用端末装置５において入力された所見テキスト及びこの所見テキストに対応した画像データに読影依頼用端末装置３から供給された読影依頼ＩＤ、画像データに付加されていた「被検体ＩＤ」等の被検体情報及び「検査モダリティ名」等の検査情報、データ登録部１１が新たに発生させた検査レポートＩＤ「レポート１」及びバージョン情報「バージョン１」、更には、所見テキストの作成者ＩＤ「読影担当医ＩＤ」等が付加されている。
【００２７】
一方、図２（ｂ）及び図２（ｃ）は、上述の所見データに基づいて検査レポート作成部２が作成した第１の検査レポートを受信した確認担当医が、前記所見テキストに対する質問テキスト及び第１のコメントテキストを確認用端末装置４において入力した場合、これらの質問テキストや第１のコメントテキストに基づいてデータ登録部１１が生成した第１のコメントデータを示したものであり、図２（ｂ）に示す第１のコメントデータは、第１の検査レポートに記載された所見テキストに対して確認用端末装置４から供給された質問テキストにデータ登録部１１が新たに発生したコメントＩＤ「質問１」、上述の所見データに対応した検査レポートＩＤ「レポート１」及びバージョン情報「バージョン１」、質問テキストの対象となった所見テキストの位置情報（「対象所見位置情報」）、質問テキストの作成者ＩＤ「確認担当医ＩＤ」等が付加されている。
【００２８】
又、図２（ｃ）に示す第１のコメントデータは、第１の検査レポートに記載された所見テキストに対して確認用端末装置４から供給された第１のコメントテキストにデータ登録部１１が新たに発生したコメントＩＤ「コメント１」、上述の所見データに対応した検査レポートＩＤ「レポート１」及びバージョン情報「バージョン１」、第１のコメントテキストの対象となった所見テキストの「対象所見位置情報」、第１のコメントテキストの作成者ＩＤ「確認担当医ＩＤ」等が付加されている。
【００２９】
更に、図２（ｄ）及び図２（ｅ）は、上述の質問テキスト及び第１のコメントテキストを有する第１のコメントデータに基づいて検査レポート作成部２が作成した第２の検査レポートを受信した読影担当医が、上述の質問テキストに対する回答テキスト及び第１のコメントテキストに対する第２のコメントテキストを読影用端末装置５において入力した場合、これらの回答テキストや第２のコメントテキストに基づいてデータ登録部１１が生成した第２のコメントデータを示したものであり、図２（ｄ）に示す第２のコメントデータは、第１の検査レポートに記載された質問テキストに対して読影用端末装置５から供給される回答テキストにデータ登録部１１が新たに発生したコメントＩＤ「回答１」、第１のコメントデータのコメントＩＤに対応した元コメントＩＤ「質問１」、回答テキストの作成者ＩＤ「読影担当医ＩＤ」等が付加されている。
【００３０】
又、図２（ｅ）に示す第２のコメントデータは、第１の検査レポートに記載された第１のコメントテキストに対して読影用端末装置５から供給される第２のコメントテキストにデータ登録部１１が新たに発生したコメントＩＤ「コメント２」、第１のコメントデータのコメントＩＤに対応した元コメントＩＤ「コメント１」、第２のコメントテキストの作成者ＩＤ「読影担当医ＩＤ」等が付加されている。
【００３１】
図１へ戻って、検査レポート作成部２は、上述の所見テキスト及び画像データに基づいた所見データや所見テキストに対する質問テキスト及び第１のコメントテキストに基づいた第１のコメントデータ、更には、質問テキストに対する回答テキスト及び第１のコメントテキストに対する第２のコメントテキストに基づいた第２のコメントデータを用いて第１の検査レポート乃至第３の検査レポートを作成する機能を有している。
【００３２】
図３は、検査レポート作成部２によって作成された第１の検査レポート乃至第３の検査レポートの具体例を示したものであり、図３（ａ）は、読影用端末装置５から供給された当該被検体の画像データに対する所見テキスト及びこの所見テキストに対応した画像データを用いてデータ保管部１のデータ登録部１１が生成した所見データ（図２（ａ）参照）に基づいて検査レポート作成部２が作成した第１の検査レポート、図３（ｂ）は、第１の検査レポートに示された所見テキストに対して確認用端末装置４から供給された質問テキスト及び第１のコメントテキストを用いて上述のデータ登録部１１が生成した第１のコメントデータ（図２（ｂ）及び図２（ｃ）参照）に基づいて検査レポート作成部２が作成した第２の検査レポート、図３（ｃ）は、第２の検査レポートに示された質問テキストあるいは第１のコメントテキストに対して読影用端末装置５から供給された回答テキスト及び第２のコメントテキストを用いてデータ登録部１１が生成した第２のコメントデータ（図２（ｄ）及び図２（ｅ）参照）に基づいて検査レポート作成部２が作成した第３の検査レポートを夫々示している。
【００３３】
即ち、当該被検体の画像データに対する読影結果が所見テキストとして読影用端末装置５の読影担当医によって入力された場合、データ保管部１のデータ登録部１１は、読影用端末装置５から供給された所見テキスト及び上述の画像データの中から抽出した前記所見テキストに対応する１つあるいは複数の画像データとこれらの画像データに付加されている「被検体ＩＤ」等の被検体情報及び「検査モダリティ名」等の検査情報に基づいて図２（ａ）に示すような所見データを生成し、得られた所見データを所見データ記憶部１３に保存する。
【００３４】
一方、検査レポート作成部２は、データ保管部１の所見データ記憶部１３から直接あるいはデータ登録部１１を介して読み出した上述の所見データに基づいて、例えば、所見テキスト及びこの所見テキストに対応した画像データに読影依頼ＩＤ、検査レポートＩＤ「レポート１」、バージョン情報「バージョン１」、被検体情報「被検体ＩＤ」、検査情報「ＣＴ／頭部」、所見テキストの作成者ＩＤ「読影担当医ＩＤ」等を付加して図３（ａ）に示すような第１の検査レポートを作成し、得られた第１の検査レポートを、ネットワーク６を介して確認用端末装置４へ供給する。
【００３５】
次に、確認用端末装置４に表示された第１の検査レポートの所見テキストに対する質問テキスト及び第１のコメントテキストが確認担当医によって入力された場合、データ保管部１のデータ登録部１１は、上述の所見データに対する質問テキスト及び第１のコメントテキストや質問テキスト及び第１のコメントテキストの対象となった所見テキストの位置情報（「対象所見位置情報」）を確認用端末装置４から受信する。そして、上述の所見データの検査レポートＩＤ「レポート１」及びバージョン情報「バージョン１」、質問テキスト及び第１のコメントテキストの作成者ＩＤ「確認担当医ＩＤ」、新たに発生させたコメントＩＤ「質問１」及び「コメント１」、更には、上述の「対象所見位置情報」等を確認用端末装置４から供給された質問テキスト及び第１のコメントテキストに付加して図２（ｂ）あるいは図２（ｃ）に示す第１のコメントデータを生成し、得られた第１のコメントデータをコメントデータ記憶部１４に保存する。
【００３６】
一方、検査レポート作成部２は、データ保管部１のコメントデータ記憶部１４から直接あるいはデータ登録部１１を介して読み出した第１のコメントデータに基づいて、例えば、コメントＩＤとしての「質問１」及び「コメント１」、作成者ＩＤ「確認担当医ＩＤ」、「対象所見位置情報」にリンクした所見テキストを強調表示させるための対象所見表示用アイコンが付加された質問テキスト及び第１のコメントテキストを上述の第１の検査レポートに追加することにより図３（ｂ）に示すような第２の検査レポートを作成し、得られた第２の検査レポートを、ネットワーク６を介して読影用端末装置５へ供給する。
【００３７】
尚、上述の第２の検査レポートに示された対象所見表示用アイコンを選択あるいは押下することにより、この対象所見表示用アイコンにリンクした領域の所見テキストが強調表示される。具体的な強調表示方法として、例えば、当該所見テキストを異なる色調、線幅、大きさ等によって表示する方法や異なる背景色や枠を付加する方法等があるが、これらの方法に限定されない。
【００３８】
又、読影用端末装置５に表示された第２の検査レポートの質問テキストに対する回答テキスト及び第１のコメントテキストに対する第２のコメントテキストが読影担当医によって入力された場合、データ保管部１のデータ登録部１１は、上述の回答テキスト及び第２のコメントテキストを読影用端末装置５から受信する。そして、第１のコメントデータのコメントＩＤに対応する元コメントＩＤ「コメント１」、回答テキスト及び第２のコメントテキストの作成者ＩＤ「読影担当医ＩＤ」、新たに発生させたコメントＩＤとしての「回答１」及び「コメント２」等を上述の回答テキスト及び第２のコメントテキストに付加して図２（ｄ）及び図２（ｅ）に示す第２のコメントデータを生成し、得られた第２のコメントデータをコメントデータ記憶部１４に保存する。
【００３９】
一方、検査レポート作成部２は、データ保管部１のコメントデータ記憶部１４から直接あるいはデータ登録部１１を介して読み出した第２のコメントデータに基づいて、例えば、コメントＩＤとしての「回答１」及び「コメント２」、元コメントＩＤとしての「質問１」及び「コメント１」、作成者ＩＤ「読影担当医ＩＤ」等が付加された回答テキスト及び第２のコメントテキストを上述の第２の検査レポートに追加することにより図３（ｃ）に示すような第３の検査レポートを作成し、得られた第３の検査レポートを、ネットワーク６を介して確認用端末装置４へ供給する。
【００４０】
尚、読影用端末装置５において入力された所見テキストに基づく第１の検査レポートと回答テキスト及び第２のコメントテキストに基づく第３の検査レポートを確認用端末装置４に対して供給し、確認用端末装置４において入力された質問テキスト及び第１のコメントテキストに基づく第２の検査レポートを読影用端末装置５に対して供給する場合について述べたが、上述の方法によって作成された第１の検査レポート乃至第３の検査レポートを読影依頼用端末装置３に対して供給することも可能である。
【００４１】
又、データ保管部１は、第１の検査レポート乃至第３の検査レポートを保存する図示しない検査レポート記憶部を更に備え、データ登録部１１は、読影依頼用端末装置３、確認用端末装置４及び読影用端末装置５の何れかから供給される検査レポート選択情報及び検査レポート供給指示信号に基づいて上述の検査レポート記憶部から読み出した所望の検査レポートを検査レポート供給指示信号が入力された端末装置へ供給してもよい。
【００４２】
次に、図１に示した読影依頼用端末装置３は、当該被検体から収集された画像データの読影を読影用端末装置５の読影担当医に対して依頼するための読影依頼情報を入力する入力部３１と、入力部３１において入力された読影依頼情報や検査レポート作成部２において作成され確認用端末装置４の確認担当医により所見テキストの内容が確認された最終検査レポート（例えば、図３（ｃ）に示した第３の検査レポート）を表示する表示部３２と、読影依頼情報の入力に有効な入力シート等のソフトウエアプログラムや入力部３１において入力された読影依頼情報等を保存する記憶部３３と、読影用端末装置５に対する読影依頼情報の送信や検査レポート作成部２から供給される最終検査レポートの受信等を行なう図示しないネットワークインターフェースを有した通信部３４と、入力部３１及び表示部３２による入出力を制御する制御部３５を備えている。
【００４３】
図１の確認用端末装置４は、入力部４１、表示部４２、記憶部４３、通信部４４及び制御部４５を備えている。
【００４４】
確認用端末装置４の入力部４１は、検査レポート作成部２によって作成され表示部４２において表示された第１の検査レポートの所見テキストに対する質問テキスト及び第１のコメントテキストの入力モードを選択する入力モード選択機能と、前記第１の検査レポートに示された所見テキストの中から質問テキスト及び第１のコメントテキストの対象となる１つあるいは複数の所見テキストを指定し、その位置情報（対象所見位置情報）を検出する機能と、指定した所見テキストに対する質問テキスト及び第１のコメントテキストを入力する機能を有している。
【００４５】
表示部４２は、検査レポート作成部２が、上述の所見テキストに基づいて作成した第１の検査レポートや前記所見テキストに対する質問テキスト及び第１のコメントテキストを第１の検査レポートに追加して作成した第２の検査レポート、更には、前記質問テキストに対する回答テキスト及び前記第１のコメントテキストに対する第２のコメントテキストを第２の検査レポートに追加して作成した第３の検査レポートを表示する。
【００４６】
記憶部４３は、上述の質問テキスト及び第１のコメントテキストの入力に有効な入力シートのソフトウエアプログラムが予め保管されているプログラム保管部、入力部４１によって指定された質問テキスト及び第１のコメントテキストの対象となる所見テキストの位置情報（対象所見位置情報）を保存する位置情報記憶部、更には、入力部４１において入力された質問テキストや第１のコメントテキストを保存するテキストデータ記憶部（何れも図示せず）を備えている。
【００４７】
通信部４４は、図示しないネットワークインターフェースを有し、データ保管部１に対する質問テキスト及び第１のコメントテキストの送信や検査レポート作成部２から供給された第１の検査レポート乃至第３の検査レポートの受信を、ネットワーク６を介して行なう。そして、制御部４５は、入力部４１による質問テキスト及び第１のコメントテキストの入力や表示部４２による第１の検査レポート乃至第３の検査レポートの表示を制御する。
【００４８】
図１の読影用端末装置５は、入力部５１、表示部５２、記憶部５３、通信部５４及び制御部５５を備えている。
【００４９】
読影用端末装置５の入力部５１は、当該被検体の画像データに対する所見テキストの入力モードや検査レポート作成部２によって作成され表示部５２において表示された第２の検査レポートの質問テキストに対する回答テキスト及び第１のコメントテキストに対する第２のコメントテキストの入力モードを選択する入力モード選択機能と、前記所見テキスト、前記回答テキスト及び前記第２のコメントテキストを入力する機能を有している。
【００５０】
表示部５２は、読影依頼用端末装置３から供給された読影依頼情報や検査レポート作成部２が作成した第１の検査レポート乃至第３の検査レポート等を表示し、記憶部５３は、上述の回答テキスト及び第２のコメントテキストの入力に有効な入力シートのソフトウエアプログラムが予め保管されているプログラム保管部や入力部５１において入力された回答テキスト及び第２のコメントテキストを保存するテキストデータ記憶部（何れも図示せず）を備えている。
【００５１】
通信部５４は、図示しないネットワークインターフェースを有し、データ保管部１に対する回答テキスト及び第２のコメントテキストの送信や検査レポート作成部２から供給された第１の検査レポート乃至第３の検査レポートの受信を、ネットワーク６を介して行なう。そして、制御部５５は、入力部５１による回答テキスト及び第２のコメントテキストの入力や表示部５２による第１の検査レポート乃至第３の検査レポートの表示を制御する。
【００５２】
（検査レポートの作成手順）
次に、本実施形態における検査レポートの作成手順につき図４のフローチャートを用いて説明する。尚、以下に示す手順においても検査レポート作成部２によって作成された第３の検査レポートを最終検査レポートとして読影依頼用端末装置３の読影依頼担当医に対して供給する場合について述べる。
【００５３】
検査レポートの作成に先立ち、医用画像診断装置によって収集された当該被検体の画像データは、「被検体ＩＤ」等の被検体情報及び「検査モダリティ名」等の検査情報を付帯情報として遠隔読影支援システム１００が備えるデータ保管部１の画像データ記憶部１２に予め保存される（図４のステップＳ１）。
【００５４】
次いで、データ保管部１に画像データが保存されていることを確認した読影依頼担当医は、当該画像データの読影を読影用端末装置５の読影担当医に対して依頼するための読影依頼情報を読影依頼用端末装置３の入力部３１において入力する。そして、入力された読影依頼情報は、読影依頼用端末装置３の通信部３４、ネットワーク６及び読影用端末装置５の通信部５４を介して表示部５２に表示される（図４のステップＳ２）。
【００５５】
尚、以下では、説明を簡単にするために、読影依頼情報、各種テキストデータ及び各種検査レポートの送受信における通信部３４、通信部４４、通信部５４及びネットワーク６の記述は省略する。
【００５６】
読影用端末装置５の読影担当医は、表示部５２に表示された読影依頼情報に対応する当該被検体の画像データをデータ保管部１の画像データ記憶部１２から読み出し、表示部５２に順次表示することにより読影を行なう。そして、得られた読影結果を示す所見テキストを所見テキスト入力モードの選択に伴って表示部５２に表示された入力シートに入力する（図４のステップＳ３）。
【００５７】
次いで、データ保管部１のデータ登録部１１は、読影用端末装置５から供給された所見テキスト及び上述の画像データの中から抽出した前記所見テキストに対応する１つあるいは複数の画像データとこれらの画像データに付加されている「被検体ＩＤ」等の被検体情報及び「検査モダリティ名」等の検査情報に基づいて図２（ａ）に示すような所見データを生成し、所見データ記憶部１３に保存する。
【００５８】
一方、検査レポート作成部２は、データ保管部１の所見データ記憶部１３から読み出した上述の所見データの所見データ及び画像データに読影依頼ＩＤ、検査レポートＩＤ「レポート１」、バージョン情報「バージョン１」、被検体情報「被検体ＩＤ」、検査情報「ＣＴ／頭部」、所見テキストの作成者ＩＤ「読影担当医ＩＤ」等を付加して図３（ａ）に示すような第１の検査レポートを作成し、確認用端末装置４の確認担当医へ供給する（図４のステップＳ４）。
【００５９】
確認用端末装置４の表示部４２に表示された第１の検査レポートを観察した確認担当医は、第１の検査レポートに示された所見テキストの中から質問テキスト及び第１のコメントテキストの対象となる所見テキストを指定した後入力部４１において質問テキスト入力モード及びコメントテキスト入力モードを選択し、これらの入力モードの選択に伴って表示部５２に表示された入力シートにおいて、指定された上述の所見テキストに対する質問テキスト及び第１のコメントテキストを入力する（図４のステップＳ５）。
【００６０】
このとき、データ保管部１のデータ登録部１１は、上述の質問テキスト及び第１のコメントテキストやこれらのテキストの対象となった所見テキストの位置情報（「対象所見位置情報」）を確認用端末装置４から受信する。そして、所見データの検査レポートＩＤ「レポート１」及びバージョン情報「バージョン１」、質問テキスト及び第１のコメントテキストの作成者ＩＤ「確認担当医ＩＤ」、新たに発生させたコメントＩＤ「質問１」及び「コメント１」、更には、上述の「対象所見位置情報」等を確認用端末装置４から供給された質問テキスト及び第１のコメントテキストに付加して図２（ｂ）及び図２（ｃ）に示す第１のコメントデータを生成し、コメントデータ記憶部１４に保存する。
【００６１】
一方、検査レポート作成部２は、データ保管部１のコメントデータ記憶部１４から読み出した第１のコメントデータに基づいて、例えば、コメントＩＤとしての「質問１」及び「コメント１」、作成者ＩＤ「確認担当医ＩＤ」、「対象所見位置情報」にリンクした所見テキストを強調表示させるための「対象所見表示用アイコン」等が付加された「質問テキスト」及び「第１のコメントテキスト」を上述の第１の検査レポートに追加することによって図３（ｂ）に示すような第２の検査レポートを作成し、ネットワーク６を介して読影用端末装置５の読影担当医へ供給する（図４のステップＳ６）。
【００６２】
読影用端末装置５の表示部５２に表示された第２の検査レポートを観察した読影担当医は、入力部５１において回答テキスト入力モード及びコメントテキスト入力モードを選択し、これらの入力モードの選択に伴って表示部５２に表示された入力シートにおいて前記質問テキストに対する回答テキスト及び前記第１のコメントテキストに対する第２のコメントテキストを入力する（図４のステップＳ７）。
【００６３】
次いで、データ保管部１のデータ登録部１１は、上述の回答テキストや第２のコメントテキストを読影用端末装置５から受信する。そして、第１のコメントデータのコメントＩＤに対応する元コメントＩＤ「コメント１」、回答テキスト及び第２のコメントテキストの作成者ＩＤ「読影担当医ＩＤ」、新たに発生させたコメントＩＤとしての「回答１」及び「コメント２」等を読影用端末装置５から供給された回答テキスト及び第２のコメントテキストに付加して図２（ｄ）及び図２（ｅ）に示す第２のコメントデータを生成し、コメントデータ記憶部１４に保存する。
【００６４】
一方、検査レポート作成部２は、データ保管部１のコメントデータ記憶部１４から読み出した第２のコメントデータに基づいて、例えば、コメントＩＤとしての「回答１」及び「コメント２」、元コメントＩＤとしての「質問１」及び「コメント１」、作成者ＩＤ「読影担当医ＩＤ」等が付加された回答テキスト及び第２のコメントテキストを上述の第２の検査レポートに追加することによって図３（ｃ）に示すような第３の検査レポートを作成し、ネットワーク６を介して確認用端末装置４の確認担当医へ供給する（図４のステップＳ８）。
【００６５】
そして、上述の第３の検査レポートに示された回答テキスト及び第２のコメントテキストにより所見テキストの内容が確認担当医によって確認された場合、確認用端末装置４から読影用端末装置５及び検査レポート作成部２へ確認信号が供給され、この確認信号を受信した検査レポート作成部２は、上述のステップＳ８において作成した第３の検査レポートを最終検査レポートとして読影依頼用端末装置３の読影依頼担当医へ供給する（図４のステップＳ９）。
【００６６】
（変形例）
次に、本実施形態の変形例につき図５乃至図７を用いて説明する。図５は、本変形例における遠隔読影支援システム２００の全体構成を示すブロック図であり、図１に示した上述の実施形態における遠隔読影支援システム１００との差異は、読影担当医によって検査レポートの所見テキストが更新された場合、更新前の所見テキストと更新後の所見テキストとの差異が示された更新情報を保存する更新データ記憶部１５がデータ保管部１ａにおいて新たに備えられていることにある。尚、図５において、図１に示した遠隔読影支援システム１００のユニットと同様の構成及び機能を有するユニットは同一の符号を付加し詳細な説明は省略する。
【００６７】
又、本変形例では、上述の実施形態において作成された第３の検査レポートにおける所見テキストの一部が読影用端末装置５ａにおいて更新された場合、更新後の所見テキストに基づいた第４の検査レポートが作成され、更に、確認用端末装置４ａにおいて入力された前記更新後の所見テキストに対する質問テキスト及び第１のコメントテキストに基づいた第５の検査レポートや読影用端末装置５ａにおいて入力された前記質問テキストに対する回答テキスト及び前記第１のコメントテキストに対する第２のコメントテキストに基づいた第６の検査レポートが必要に応じて作成される場合について述べるが、所見テキストの更新回数や質問テキストや回答テキスト等の入力回数は上述に限定されない。
【００６８】
本変形例の遠隔読影支援システム２００は、図５に示すように、データ保管部１ａ、検査レポート作成部２ａ、読影依頼用端末装置３、確認用端末装置４ａ及び読影用端末装置５ａを備え、これらのユニットはネットワーク６を介して互いに接続されている。
【００６９】
即ち、遠隔読影支援システム２００は、例えば、上述のネットワーク６を介して接続されるＸ線ＣＴ装置やＭＲＩ装置等の医用画像診断装置によって予め収集された画像データを保存し、更に、読影用端末装置５ａにおいて入力あるいは更新された当該被検体の画像データに対する読影結果（所見テキスト）、更新前の所見テキストと更新後の所見テキストとの差異が示された更新情報、確認用端末装置４ａにおいて入力された更新前及び更新後の所見テキストに対する質問テキストや第１のコメントテキスト、読影用端末装置５ａにおいて入力された前記質問テキストに対する回答テキストや前記第１のコメントテキストに対する第２のコメントテキストを所見データ、更新データ及びコメントデータとして保存するデータ保管部１ａと、上述の画像データ、所見データ、更新データ及びコメントデータに基づいて各種の検査レポートを作成する検査レポート作成部２ａを備えている。
【００７０】
更に、遠隔読影支援システム２００は、当該被検体から収集された画像データの読影を読影用端末装置５ａの読影担当医に対して依頼する読影依頼用端末装置３と、読影用端末装置５ａにおいて入力あるいは更新された所見テキストに基づいて検査レポート作成部２ａが作成した第１の検査レポート及び第４の検査レポートに対する質問テキストや第１のコメントテキストを入力する確認用端末装置４ａと、読影依頼用端末装置３から供給された読影依頼情報に基づいてデータ保管部１ａの画像データ記憶部１２から読み出した当該被検体の画像データに対する読影結果（所見テキスト）の入力あるいは更新や、確認用端末装置４ａから供給された上述の質問テキスト及び第１のコメントテキスト等に基づいて検査レポート作成部２ａが作成した第２の検査レポート及び第５の検査レポートに対する回答テキストや第２のコメントテキストを入力する読影用端末装置５ａを備えている。
【００７１】
データ保管部１ａは、図５に示すように、データ登録部１１ａ、画像データ記憶部１２、所見データ記憶部１３、コメントデータ記憶部１４及び更新データ記憶部１５を備え、医用画像診断装置において収集された画像データ、読影用端末装置５ａにおいて入力された所見テキストに基づく所見データ、確認用端末装置４ａにおいて入力された質問テキスト及び第１のコメントテキストに基づく第１のコメントデータや読影用端末装置５ａにおいて入力された回答テキスト及び第２のコメントテキストに基づく第２のコメントデータ、更には、更新前の所見テキストと更新後の所見テキストの差異を示す更新データを保存する機能を有している。
【００７２】
次に、上述の実施形態において作成された第３の検査レポート（図３（ｃ）参照）を構成する所見テキストの一部が読影担当医によって更新された場合、確認用端末装置４ａから供給された更新後の所見テキストに対する第１のコメントテキスト及び読影用端末装置５ａから供給された前記第１のコメントテキストに対する第２のコメントテキストに基づいてデータ保管部１ａのデータ登録部１１ａが生成する第１のコメントデータ及び第２のコメントデータの具体例につき図６を用いて説明する。
【００７３】
図６は、本変形例のデータ登録部１１ａが、読影用端末装置５ａから供給された更新後の所見テキストに基づいて生成する所見データ（更新後の所見データ）（図６（ａ））と、更新前の所見テキストと更新後の所見テキストとの差異に基づいて生成する更新データ（図６（ｂ））と、更新後の所見テキストに対して確認用端末装置４ａから供給された第１のコメントテキストに基づいて生成する第１のコメントデータ（図６（ｃ））と、第１のコメントテキストに対して読影用端末装置５ａから供給された第２のコメントテキストに基づいて生成する第２のコメントデータ（図６（ｄ））を示している。
【００７４】
即ち、データ登録部１１ａは、読影依頼先医療施設の読影用端末装置５ａから新たに供給された所見テキスト及びこの所見テキストに関連した画像データに基づき、所見データ記憶部１３において既に保存されている所見データの一部を更新することにより図６（ａ）に示すような所見データ（更新後の所見データ）を生成する。このとき、更新前の所見データ（図２（ａ）参照）に記載されていたバージョン情報「バージョン１」は「バージョン２」に更新される。そして、更新後の所見データは、所見データ記憶部１３に保存される。
【００７５】
又、データ登録部１１ａは、更新前及び更新後の所見データに示された所見テキストの差異を示す更新情報及びこの更新情報に対応した画像データに更新データＩＤ「更新データ１」、検査レポートＩＤ「レポート１」、バージョン情報「バージョン１」、更新された所見テキストの作成者ＩＤ「読影担当医ＩＤ」等を付加することにより図６（ｂ）に示すような更新データを生成し、更新データ記憶部１５に保存する。
【００７６】
更に、データ登録部１１ａは、確認用端末装置４ａにおいて入力された更新後の所見テキストに対する第１のコメントテキストや読影用端末装置５ａにおいて入力された前記第１のコメントテキストに対する第２のコメントテキストを受信する。そして、更新データＩＤ「更新データ１」、バージョン情報「バージョン１」、第１のコメントテキストの対象となった所見テキストの位置情報（対象所見位置情報）、第１のコメントテキストの作成者ＩＤ「確認担当医ＩＤ」、新たに発生させたコメントＩＤ「コメント３」等を上述の第１のコメントテキストに付加して図６（ｃ）に示すような第１のコメントデータを生成し、更に、第１のコメントデータのコメントＩＤに対応した元コメントＩＤ「コメント３」、第２のコメントテキストの作成者ＩＤ「読影担当医ＩＤ」、新たに発生させたコメントＩＤ「コメント４」を上述の第２のコメントテキストに付加して図６（ｄ）に示すような第２のコメントデータを生成する。そして、更新後の所見テキストに対して生成された第１のコメントデータ及び第２のコメントデータは、コメントデータ記憶部１４に保存される。
【００７７】
尚、図６（ｅ）及び図６（ｆ）は、読影担当医による更新が行なわれなかった所見テキストに対する質問テキストに基づいて生成された第１のコメントデータ及び前記質問テキストに対する回答テキストに基づいて生成された第２のコメントデータを示しており、上述の第１のコメントデータは、更新前の所見テキストに基づいて既に生成された第１のコメントデータ（図２（ｂ）参照）のバージョン情報を「バージョン１」から「バージョン２」へ変更することによって生成される。
【００７８】
次に、上述の実施形態にて作成された第３の検査レポート（図３（ｃ）参照）を構成する所見テキストの一部が読影担当医によって更新された場合、検査レポート作成部２ａが読影用端末装置５ａから供給される更新後の所見テキストに基づいて作成した第４の検査レポートの具体例につき図７を用いて説明する。
【００７９】
即ち、既に作成された第３の検査レポートを構成する所見テキストの一部が読影用端末装置５ａの読影担当医によって更新された場合、検査レポート作成部２ａは、所見データ記憶部１３及び更新データ記憶部１５から読み出した図６（ａ）の所見データ及び図６（ｂ）の更新データに基づいて所見テキストを更新することにより第４の検査レポートを新たに作成し、得られた第４の検査レポートを確認用端末装置４ａへ供給する。
【００８０】
図７（ａ）は、図６（ａ）に示した更新後の所見データ及び図６（ｂ）に示した更新データに基づいて検査レポート作成部２ａが作成した第４の検査レポートの具体例を示したものであり、検査レポート作成部２ａは、例えば、データ保管部１ａの所見データ記憶部１３及び更新データ記憶部１５から直接あるいはデータ登録部１１ａを介して読み出した更新後の所見データ及び更新データに基づき、既に作成された第３の検査レポート（図３（ｃ）参照）の所見テキスト及び画像データの一部を更新することにより図７（ａ）に示すような第４の検査レポートを作成する。
【００８１】
尚、第４の検査レポートの所見テキスト欄における実線枠は、更新が行なわれなかった質問テキストに対応する所見テキストの領域を、又、破線枠は、更新された所見テキストの領域を示しており、図７（ａ）に示した第４の検査レポートは、更新されていない所見テキストと更新された所見テキストを有している。
【００８２】
一方、図７（ｂ）は、確認用端末装置４ａの表示部４２に表示された第４の検査レポート（図７（ａ））における「コメント１」の対象所見表示用アイコンが選択（押下）された場合、表示部４２に新たに表示される検査レポートを示している。この場合、確認用端末装置４ａの入力部４１ａから対象所見表示用アイコンの選択信号を受信した検査レポート作成部２ａは、対象所見表示用アイコンに対応した更新前の所見データ（即ち、第１のコメントテキストに対応した所見データ）をデータ保管部１ａの所見データ記憶部１３から読み出す。そして、得られた所見データに基づいて第４の検査レポートにおける所見テキストを更新することによって図３（ｃ）と同様な第３の検査レポートを再度作成し、更に、対象所見表示用アイコンが有する対象所見位置情報に基づいて第１のコメントテキストの対象となった所見テキストを強調表示する。
【００８３】
以上述べた本開示の実施形態によれば、医用画像診断装置によって収集された画像データの読影を、ネットワーク等を介して接続された読影依頼先医療施設に対して依頼する際、この読影依頼先医療施設の読影担当医によって入力された所見テキストに、前記所見テキストに対する質問テキスト及び第１のコメントテキストや前記質問テキストに対する回答テキスト及び前記第１のコメントテキストに対する第２のコメントテキスト等を順次付加して生成した各種の検査レポートを、読影依頼先医療施設と確認医療施設との間で送受信することにより所見テキストの内容を正確に把握することができる。
【００８４】
従って、所見テキストの内容が十分確認された最終検査レポートが読影依頼先医療施設あるいは確認医療施設から供給された読影依頼元医療施設の読影依頼担当医は、上述の最終検査レポートに基づいて当該被検体に対する診断を高い精度で行なうことができる。
【００８５】
又、検査レポートの質問テキスト及び第１のコメントテキストに隣接して設定された対象所見表示用アイコンを選択（押下）することにより、質問テキスト及び第１のコメントテキストの対象となった検査レポートの所見テキストを強調表示することができる。このため、質問テキスト及び第１のコメントテキストと所見テキストとの関連づけを容易に行なうことが可能となる。
【００８６】
一方、本実施形態の変形例によれば、読影依頼先医療施設の読影担当医によって予め入力された所見テキストは、上述の質問テキストや第１のコメントテキスト等に基づいて更新することができるため、高レベルの所見テキストを有した最終検査レポートを作成することができ、従って、読影依頼担当医による診断の精度を更に向上させることが可能となる。
【００８７】
又、検査レポートに示された更新前の所見テキストに対する質問テキスト及び第１のコメントテキストに隣接した対象所見表示用アイコンを選択（押下）することにより、更新前の検査レポートが再表示され、更に、この検査レポートに示された上述の質問テキスト及び第１のコメントテキストの対象となった所見テキストを強調表示することができる。このため、質問テキスト及び第１のコメントテキストと更新前及び更新後の所見テキストとの関連づけを容易に行なうことができる。
【００８８】
以上、本開示の実施形態及びその変形例について述べてきたが、本開示は、上述の実施形態及びその変形例に限定されるものではなく、更に変形して実施することが可能である。例えば、上述の実施形態及びその変形例では、Ｘ線ＣＴ装置やＭＲＩ装置等の医用画像診断装置によって収集された当該被検体の画像データに対する読影を、ネットワーク等を介して接続された読影依頼先施設の読影担当医に対して依頼する場合について述べたが、生体信号計測装置によって計測された心電波形や脳波形、更には、血液等の検体に対する分析結果等を参照した読影を読影担当医に対して依頼する場合であっても構わない。
【００８９】
又、本実施形態の遠隔読影支援システム１００が備える検査レポート作成部２は、所見テキストに基づく第１の検査レポートと、前記所見テキストに対する質問テキスト及び第１のコメントテキストが第１の検査レポートに追加された第２の検査レポートと、前記質問テキストに対する回答テキスト及び前記第１のコメントテキストに対する第２のコメントテキストが第２の検査レポートに追加された第３の検査レポートを順次作成し、第３の検査レポートを最終検査レポートとして読影依頼用端末装置３の読影依頼担当医に対して供給する場合について述べたが、質問テキスト及び第１のコメントテキストや回答テキスト及び第２のコメントテキストの入力を更に繰り返すことによって作成される検査レポートの何れかを最終検査レポートとして読影依頼担当医へ供給してもよい。
【００９０】
更に、上述の実施形態及びその変形例における確認用端末装置４（４ａ）は、第１の検査レポートに示された所見テキストに対して質問テキストと第１のコメントテキストを入力する場合について述べたが、質問テキストあるいは第１のコメントテキストの何れか一方を入力してもよい。この場合、読影用端末装置５（５ａ）では、通常、質問テキストに対する回答テキストあるいは第１のコメントテキストに対する第２のコメントテキストが入力されるが、質問テキストに対する第２のコメントテキストであっても構わない。
【００９１】
又、上述の実施形態及びその変形例では、検査レポート作成部２（２ａ）によって作成された第１の検査レポート及び第３の検査レポートを確認用端末装置４（４ａ）の表示部４２に表示し、第２の検査レポートを読影用端末装置５（５ａ）の表示部５２に表示する場合について述べたが、第１の検査レポート乃至第３の検査レポートは必要に応じて表示部３２、表示部４２及び表示部５２において表示することも可能である。
【００９２】
例えば、データ保管部１（１ａ）は、第１の検査レポート乃至第３の検査レポートを保存する図示しない検査レポート記憶部を更に備え、データ登録部１１（１１ａ）は、読影依頼用端末装置３、確認用端末装置４（４ａ）及び読影用端末装置５（５ａ）の何れかから供給される検査レポート選択情報及び検査レポート供給指示信号に基づいて上述の検査レポート記憶部から読み出した所望の検査レポートを検査レポート供給指示信号が入力された端末装置へ供給してもよい。
【００９３】
一方、上述の実施形態及びその変形例における確認医療施設は、読影依頼先医療施設あるいは読影依頼元医療施設の一部であってもよく、読影依頼元医療施設や読影依頼先医療施設と独立した他の医療施設であってもよい。又、データ保管部１（１ａ）及び検査レポート作成部２（２ａ）は、読影依頼元医療施設あるいは読影依頼先医療施設に設けられていてもよいが他の医療施設に設けられていても構わない。
【００９４】
尚、本実施形態及びその変形例に係る遠隔読影支援システム１００（２００）の一部は、例えば、コンピュータをハードウェアとして用いることでも実現することができる。例えば、検査レポート作成部２（２ａ）は、上述のコンピュータに搭載されたＣＰＵ等のプロセッサに所定の制御プログラムを実行させることにより各種機能を実現することができる。この場合、これらのユニットは、上述の制御プログラムをコンピュータに予めインストールしてもよく、又、コンピュータ読み取りが可能な記憶媒体への保存あるいはネットワークを介して配布された制御プログラムのコンピュータへのインストールであっても構わない。
【００９５】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行なうことができる。これらの実施形態やその変形例は、発明の範囲や要旨に含まれるとともに、特許請求の範囲に記載された発明とその均等の範囲に含まれる。
【符号の説明】
【００９６】
１、１ａ…データ保管部
１１、１１ａ…データ登録部
１２…画像データ記憶部
１３…所見データ記憶部
１４…コメントデータ記憶部
１５…更新データ記憶部
２、２ａ…検査レポート作成部
３…読影依頼用端末装置
３１…入力部
３２…表示部
３３…記憶部
３４…通信部
３５…制御部
４、４ａ…確認用端末装置
４１、４１ａ…入力部
４２…表示部
４３…記憶部
４４…通信部
４５…制御部
５、５ａ…読影用端末装置
５１、５１ａ…入力部
５２…表示部
５３…記憶部
５４…通信部
５５…制御部
６…ネットワーク
１００、２００…遠隔読影支援システム
【図１】
2012170750.tif 000003
【図２】
2012170750.tif 000004
【図３】
2012170750.tif 000005
【図４】
2012170750.tif 000006
【図５】
2012170750.tif 000007
【図６】
2012170750.tif 000008
【図７】
2012170750.tif 000009